(57)【特許請求の範囲】
【請求項１】
用紙束の側辺を突き揃えるテーブルが設けられ、該テーブルによって側辺が突き揃えられた状態の用紙束が用紙固定部によってクランプされて固定されるクランプ領域と、
前記クランプ領域にて前記用紙固定部によって固定された用紙束の背面に糊付けを行なう糊付けローラを備えた糊付け部と、
前記クランプ領域と前記糊付け部との間に設けられ、前記糊付け部にて糊付けされた部分を強制乾燥させる乾燥部と、
用紙束をクランプして固定した用紙固定部を前記クランプ領域と前記糊付け部との間にて往復移動させる用紙固定部移動手段と、
前記用紙固定部移動手段の駆動を制御するとともに、前記糊付け部にて糊付けが行われた用紙束が前記乾燥部に搬送されてきた際に前記乾燥部を駆動させる制御手段とを有し、
前記テーブルが、昇降自在に設けられていることを特徴とする糊綴じ製本装置。
【発明の詳細な説明】
【０００１】
【発明の属する技術分野】
本発明は、カット紙、単位用紙をクランプし自動的に糊付けする糊綴じ製本装置に関する。
【０００２】
【従来の技術】
従来の糊綴じ製本装置としては、綴じ用の糊としてホットメルトが使用されているものが知られている。ホットメルトによる糊綴じ製本装置は、加熱して溶けたホットメルトを塗布した後、常温により糊が固るので、比較的短時間で糊綴じ製本作業が終了する。
【０００３】
また、ノーカーボン複写帳票等のように例えば、表面側から上紙、中紙、下紙で、上紙の裏面に発色カプセルが塗布され、中間の中紙の表面に顕色剤が、裏面に発色カプセルが塗布されており、最下方の下紙の表面には顕色剤が塗布されている。
【０００４】
そして、これら上紙、中紙、下紙を１セットずつ糊付けする場合、通常、これらノーカーボン複写帳票を所定セット分重合し、その背面に水性糊を塗布する。これにより、水性糊は、浸透圧の関係で、上紙と中紙、中紙と下紙の間に糊が染込み易く、セット毎の重合部には糊が染込み難く、綴じ合わせ後、綴じ合わされたノーカーボン複写帳票を１セット毎引き剥がす時には、セット毎に引き剥がし易いものとなる。
【０００５】
【発明が解決しようとする課題】
したがって、このように、ホットメルトがあらゆる紙質の用紙を均一に接着してしまうのに対して、特にノーカーボン複写帳票の糊付けに際しては、ノーカーボン複写帳票がセット毎に引き剥がし易い接着が行えることから水性糊が使用されるようになった。しかしながら、水性糊は、ホットメルトのように温度により固るものではなく、水分を蒸発させなければ固らないので強制的な乾燥装置が必要となる。この発明は、このような事情に鑑みてなされたもので、ノーカーボン複写帳票等の背面への水性糊の塗布ならびに乾燥を効率よく簡単な構造で行なえ、生産性を高めた糊綴じ製本装置を提供することを目的としている。
【０００６】
【課題を解決するための手段】
本発明の糊綴じ製本装置は、上記課題を解決するために、
用紙束の側辺を突き揃えるテーブルが設けられ、該テーブルによって側辺が突き揃えられた状態の用紙束が用紙固定部によってクランプされて固定されるクランプ領域と、
前記クランプ領域にて前記用紙固定部によって固定された用紙束の背面に糊付けを行なう糊付けローラを備えた糊付け部と、
前記クランプ領域と前記糊付け部との間に設けられ、前記糊付け部にて糊付けされた部分を強制乾燥させる乾燥部と、
用紙束をクランプして固定した用紙固定部を前記クランプ領域と前記糊付け部との間にて往復移動させる用紙固定部移動手段と、
前記用紙固定部移動手段の駆動を制御するとともに、前記糊付け部にて糊付けが行われた用紙束が前記乾燥部に搬送されてきた際に前記乾燥部を駆動させる制御手段とを有し、
前記テーブルが、昇降自在に設けられているものである。
【０００７】
【発明の実施形態】
以下、本発明の糊綴じ製本装置を図１から図４に示す実施形態に基づいて詳細に説明する。図１は本発明の糊綴じ製本装置１の全体を示す斜視説明図、図２は図１の糊綴じ製本装置１の起動時から糊付け作動状態を示す断面説明図、図３は図１の糊綴じ製本装置１の糊付けから乾燥状態の作動状態を示す断面説明図、図４は、図２、図３の作動状態のタイムチャートを示す説明図である。
【０００８】
本形態は、用紙束となるノーカーボン帳票束Ｆの側辺を突き揃えるテーブル２と、突き揃えた状態で帳票束Ｆをクランプして固定する用紙固定部３とからなるクランプ部４と、糊付けされた部分を強制乾煤させる、ヒータ５とブロアー６とダクト７からなる乾燥部８と、帳票束Ｆの背面に糊付けを行なう糊付けローラ９と糊タンク１０を備えた糊付け部１１とを順に配置し、クランプ部４で帳票束Ｆクランプして固定した状態で、クランプ部４から用紙固定部３を乾燥部８と糊付け部１１に往復移動させる用紙固定部移動手段１２と、この用紙固定部移動手段１２の駆動および用紙固定部３の往復移動中に乾燥部８の駆動を制御し、糊塗布、乾燥を終了する制御手段１３を設けてなるものである。
【０００９】
テーブル２は、昇降自在なようにソレノイド１６を介して支持されており、用紙束の突き揃え時は、上昇しており、用紙固定部３が移動して用紙束に糊が塗布されて戻って来た時には、ソレノイドを作動させて降下するようになっている。
【００１０】
また、電源スイッチ、スタートスイッチあるいは、クランプ部４、乾燥部８、糊付け部１１等の駆動を制御したり、単独に駆動する制御部の操作をする入力部１４が設けられている。
【００１１】
また、図示してないが、糊付け部１１には、不使用時に糊タンク１０および糊付けローラ９の表面の糊が乾燥しないように糊蓋が設けられており、使用時は、この糊蓋を外して糊綴じ製本装置１を作動する。糊付けローラ９は、駆動モータに連結されており、制御部１３の制御で左右どちらにも回転可能となっている。
【００１２】
乾燥部８はヒータ５が内臓型のブロアー６でヒータとブロアーを同時にまたは、ブロアーのみを単独に駆動することができるものである。
【００１３】
クランプ部４は、前述の如くテーブル２上でノーカボン帳票束Ｆの側辺を突き揃え、この状態で、用紙固定部３が帳票束Ｆをクランプするもので、クランプスイッチがオペレータの足元に設けられた足踏みスイッチで構成されている。この足踏みスイッチを踏むと、最初はクランプが開くほうに、踏んでいる間中保ち続け、一旦離して再度踏むと今度は閉じる方に踏んでいる間中閉じ続けるよう構成されている。
【００１４】
次に、図４に基づいて糊綴じ製本装置１の動作状態を説明する。クランプ部４の用紙固定部３が原点（図２における糊綴じ製本装置１の右端位置）にある状態で帳票束Ｆの突き揃えおよび用紙固定部３が帳票束Ｆをクランプした状態で、スタートスイッチを押すと、用紙固定部３は、高速前進して糊付け部１１側に移動する。糊付けローラ９に達すると、低速で移動し、往復移動により糊付けが行われる。次に、糊付けローラ９から逆戻りして、糊付けされた帳票束Ｆが乾燥部８のブロアー６に達するとブロアーから温風が吹き付けられ、乾燥される。乾燥部８のヒータ５はブロアー６より早めに電源を切られるように制御されている。
【００１５】
糊綴じされた帳票束Ｆは乾燥が完了しているが、帳票束Ｆが原点に戻ってくるまでに、糊綴じされた帳票束Ｆが、テーブル２で擦れてもよいようにソレノイド１６を駆動して、テーブル２を下降させておくようになっている。
【００１６】
【発明の効果】
以上説明したように、本発明の糊閉じ製本装置は、クランプ部と、乾燥部と、糊付け部とを順に配置し、前記クランプ部で用紙束をクランプして固定した状態で、クランプ部から乾燥部と糊付け部に往復移動させ、往復移動中に乾燥を終了するようにしたので、乾燥部のブロアーは、開口部を小さくでき、エネルギーを集中しやすく温風も高温にすることができので乾燥効率を上げることができる上に、クランプ部と、乾燥部とを別の位置に設けたのでクランプ部の突き揃えテーブルと乾燥部の温風吹き出し口を複雑な構成にしなくてもよい。また、用紙固定部の往復移動は、制御手段の移送速度制御で効率のよい作業が行える等の効果を奏する。
【図面の簡単な説明】
【図１】本発明の糊閉じ製本装置を示す斜視説明図，
【図２】図１の糊閉じ製本装置の起動時から糊付け作動状態を示す断面説明図。
【図３】図１の糊閉じ製本装置の糊付けから乾燥状態を示す断面説明図。
【図４】図２、図３の作動状態のタイムチャートを示す説明図である。
【符号の説明】
ｌ…糊閉じ製本装置
２…テーブル
３…用紙束固定部
４…クランプ部
５…ヒータ
６…ブロアー
７…ダクト
８…乾燥部
９…糊付けローラ
１０…糊タンク
１１…糊付け部
１２…用紙固定部移動手段
１３…制御手段
１４…入力部
【図１】
0003601894.tif 000002
【図２】
0003601894.tif 000003
【図３】
0003601894.tif 000004
【図４】
0003601894.tif 000005